(57)【要約】【課題】ユーザ装置が、あるバンドコンビネーションに対して複数のＭＩＭＯ能力をサポートする場合において、シグナリング量の増加を抑制して、パラメータ算出のためのＭＩＭＯ能力を決定する。【解決手段】キャリアアグリゲーションをサポートする移動通信システムにおいて基地局と通信を行うユーザ装置において、コンポーネントキャリア毎のアンテナポート数を前記基地局から受信する受信部と、前記ユーザ装置がサポートするバンドコンビネーションにおいて、当該ユーザ装置が、異なる複数のＭＩＭＯ能力をサポートしている場合において、前記受信部により受信したコンポーネントキャリア毎のアンテナポート数に基づいて、前記バンドコンビネーションにおける合計の最大レイヤ数を最大化するＭＩＭＯ能力を決定する決定部とを備える。【選択図】図６
2017208792.tif 000002
【特許請求の範囲】
【請求項１】
キャリアアグリゲーションをサポートする移動通信システムにおいて基地局と通信を行うユーザ装置であって、
コンポーネントキャリア毎のアンテナポート数を前記基地局から受信する受信部と、
前記ユーザ装置がサポートするバンドコンビネーションにおいて、当該ユーザ装置が、異なる複数のＭＩＭＯ能力をサポートしている場合において、前記受信部により受信したコンポーネントキャリア毎のアンテナポート数に基づいて、前記バンドコンビネーションにおける合計の最大レイヤ数を最大化するＭＩＭＯ能力を決定する決定部と
を備えることを特徴とするユーザ装置。
【請求項２】
前記決定部は、前記決定したＭＩＭＯ能力に基づいて、コンポーネントキャリア毎の最大レイヤ数を決定し、当該最大レイヤ数に基づいて、上り制御情報の送信のためのビット幅、又は、ソフトバッファサイズの算出に使用するパラメータの値を決定する
ことを特徴とする請求項１に記載のユーザ装置。
【請求項３】
前記決定部は、前記合計の最大レイヤ数を最大化するＭＩＭＯ能力が１つに定まらない場合において、前記受信部により前記基地局から受信するコンポーネントキャリア毎の最大レイヤ数に基づいて、前記ビット幅、又は、前記パラメータの値を決定する
ことを特徴とする請求項２に記載のユーザ装置。
【請求項４】
前記決定部は、あるＭＩＭＯ能力において、最大レイヤ数とアンテナポート数のうちの小さいほうの値の総和を、当該ＭＩＭＯ能力における前記合計の最大レイヤ数として算出する
ことを特徴とする請求項１ないし３のうちいずれか１項に記載のユーザ装置。
【請求項５】
キャリアアグリゲーションをサポートする移動通信システムにおいて基地局と通信を行うユーザ装置が実行する能力決定方法であって
コンポーネントキャリア毎のアンテナポート数を前記基地局から受信する受信ステップと、
前記ユーザ装置がサポートするバンドコンビネーションにおいて、当該ユーザ装置が、異なる複数のＭＩＭＯ能力をサポートしている場合において、前記受信ステップにより受信したコンポーネントキャリア毎のアンテナポート数に基づいて、前記バンドコンビネーションにおける合計の最大レイヤ数を最大化するＭＩＭＯ能力を決定する決定ステップと
を備えることを特徴とする能力決定方法。
【発明の詳細な説明】
【技術分野】
【０００１】
本発明は、キャリアアグリゲーションをサポートする移動通信システムにおけるユーザ装置に関する。
【背景技術】
【０００２】
ＬＴＥ−Ａｄｖａｎｃｅｄでは、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１（ａ）〜（ｃ）に示すように３つのシナリオに分類される。図１（ａ）は、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１（ｂ）は、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１（ｃ）は、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。
【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。
【０００５】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。また、ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知する。
【０００６】
ＣＡバンドコンビネーションを通知するメッセージの構造例を図２に示す。図２に示すように、当該メッセージにて、ＵＬ／ＤＬ個別にバンドコンビネーション毎、バンド毎にＣＡ  ｂａｎｄｗｉｄｔｈｃｌａｓｓとＭＩＭＯレイヤ数を通知可能になっている。また、図２に示されていないが、ＤＬについては、バンドコンビネーション毎、バンド毎に、ＵＥが設定可能なＣＳＩ（Ｃｈａｎｎｅｌ  Ｓｔａｔｅ  Ｉｎｆｏｒｍａｔｉｏｎ）プロセス数（ｓｕｐｐｏｒｔｅｄＣＳＩ−Ｐｒｏ）を通知できる。なお、ＣＳＩプロセス数とは、ＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）を適用する場合において、ユーザ装置ＵＥが使用するＣＳＩプロセスの数である。
【０００７】
図２に示されるＣＡ  ｂａｎｄｗｉｄｔｈｃｌａｓｓ（ＣＡ帯域幅クラス）とは、例えば図３の表により定義されるクラスであり、バンド毎に、ユーザ装置ＵＥでアグリゲート可能な帯域幅、ＣＣ数等を示す。
【０００８】
上記のように、ユーザ装置ＵＥは、自身がサポートするＭＩＭＯレイヤ数を能力情報として基地局ｅＮＢに通知できる。ここで、ユーザ装置ＵＥのＭＩＭＯレイヤ数は、ＵＬとＤＬのそれぞれで、ＣＣ毎に設定される。以下、ＭＩＭＯレイヤ数は、ＤＬ  ＭＩＭＯレイヤ数を意味する。
【０００９】
一方、ユーザ装置ＵＥにおけるＭＩＭＯレイヤ数の能力はバンド毎に基地局ｅＮＢに通知される。例えば、図４の（ａ）のＩｎｔｅｒ−ｂａｎｄ  ＣＡのケースでは、バンド１９（クラスＡ）でＭＩＭＯレイヤ数２が通知され、バンド１（クラスＡ）でＭＩＭＯレイヤ数４が通知される。また、図４の（ｂ）のＩｎｔｒａ−ｂａｎｄ  ｎｏｎ−ｃｏｎｔｉｇｕｏｕｓ  ＣＡのケースでは、バンド３（クラスＡ）でＭＩＭＯレイヤ数２が通知され、もう１つのバンド３（クラスＡ）でＭＩＭＯレイヤ数４が通知される。なお、上記の通知するレイヤ数は、ユーザ装置ＵＥがサポートする最大のレイヤ数である。
【先行技術文献】
【非特許文献】
【００１０】
【非特許文献１】３ＧＰＰ  ＴＳ  ３６．３３１  Ｖ１０．１９．０
【非特許文献２】３ＧＰＰ  ＴＳ  ３６．２１２  Ｖ１２．７．０
【発明の概要】
【発明が解決しようとする課題】
【００１１】
ここで、非特許文献２に記載されているように、従来技術では、ユーザ装置ＵＥが基地局ｅＮＢに送信するチャネル状態情報（ＣＳＩ）の１つであるＲＩ（Ｒａｎｋ  Ｉｎｄｉｃａｔｏｒ）のビット幅（ｂｉｔ  ｗｉｄｔｈ）（ビット数と称してもよい）をＣＣ（セル）毎に、例えば、以下のようにして決定する。
【００１２】
すなわち、ｍａｘＬａｙｅｒｓＭＩＭＯ（最大レイヤ数）が基地局ｅＮＢからユーザ装置ＵＥに通知されている場合には、ｍａｘＬａｙｅｒｓＭＩＭＯに基づいて決定し、ｍａｘＬａｙｅｒｓＭＩＭＯが通知されていない場合には、「ｓｕｐｐｏｒｔｅｄＭＩＭＯ−ＣａｐａｂｉｌｉｔｙＤＬ−ｒ１０」のフィールドで通知するＭＩＭＯレイヤ数に基づき決定することが規定されている。
【００１３】
ｍａｘＬａｙｅｒｓＭＩＭＯが通知されていない場合において、具体的には、ユーザ装置ＵＥは、サポートする最大のＭＩＭＯレイヤ数と設定されたアンテナポート数（ＣＳＩ−ＲＳポート数）とのうちの最小値を「最大レイヤ数」とし、当該最大レイヤ数に基づき、ＲＩのビット幅を決定する。
【００１４】
また、ＬＴＥにおけるユーザ装置ＵＥ及び基地局ｅＮＢでは、ＭＡＣ（Ｍｅｄｉａ  Ａｃｃｅｓｓ  Ｃｏｎｔｒｏｌ）レイヤのＨＡＲＱエンティティにおいてＨＡＲＱ（Ｈｙｂｒｉｄ  ＡＲＱ）制御が行われる。例えばユーザ装置ＵＥでの下りデータに対するＨＡＲＱ制御では、下りデータ（ＴＢ：トランスポートブロック）のデコード（復号）に成功した場合にＡＣＫを基地局ｅＮＢに返し、デコードに失敗した場合はＮＡＣＫを基地局ｅＮＢに返す。このように、ＨＡＲＱでは、ＡＣＫ／ＮＡＣＫを送信することで再送制御を行う。ＨＡＲＱにおいて、ユーザ装置ＵＥは、受信したデータのデコード（復号）に失敗した場合（データが誤っていた場合）に、当該データを保持しておき、基地局ｅＮＢから再送されてきたデータと当該保持したデータとを合成し、合成したデータをデコードする。これにより、誤りに強い耐性を持たせることとしている。上記のデータを保持する記憶部（メモリ領域）をソフトバッファと呼ぶ。
【００１５】
ここで、非特許文献２の「５．１．４．１．２  Ｂｉｔ  ｃｏｌｌｅｃｔｉｏｎ，ｓｅｌｅｃｔｉｏｎ  ａｎｄ  ｔｒａｎｓｍｉｓｓｉｏｎ」において、１ＴＢ当たりのソフトバッファサイズ（ＮＩＲ）を算出するにあたって使用するパラメータであるＫｃの値は、ｍａｘＬａｙｅｒｓＭＩＭＯが通知されない場合、ユーザ装置ＵＥがサポートする最大のＭＩＭＯレイヤ数が、２レイヤを超えないかどうか（２レイヤ以下かどうか）に依存している。
【００１６】
ところで、従来技術では、ｍａｘＬａｙｅｒｓＭＩＭＯは、Ｉｎｔｒａ−ｂａｎｄ  ｃｏｎｔｉｇｕｏｕｓ  ＣＡに対してのみ通知され、例えば、図４（ａ）、（ｂ）に示すようなＩｎｔｅｒ−ｂａｎｄ  ＣＡ、及び、Ｉｎｔｒａ−ｂａｎｄ  ｎｏｎ−ｃｏｎｔｉｇｕｏｕｓ  ＣＡには通知されない。
【００１７】
また、例えば、図４（ａ）に示したような１９Ａと１Ａのバンドコンビネーションにおいて、ユーザ装置ＵＥは、「（１９Ａ，２レイヤ）、（１Ａ，４レイヤ）」（バンドコンビネーションエントリＡと呼ぶ）と、「（１９Ａ，４レイヤ）、（１Ａ，２レイヤ）」（バンドコンビネーションエントリＢと呼ぶ）」という複数のＭＩＭＯ能力に対応する場合がある。なお、１９Ａと１Ａのバンドコンビネーションの場合、ｍａｘＬａｙｅｒｓＭＩＭＯは通知されない。
【００１８】
このような場合、ユーザ装置ＵＥは、ＲＩビット幅を求めるための最大レイヤ数の算出にあたって、複数のバンドコンビネーションエントリ（複数のＭＩＭＯ能力）のうちのどのエントリを想定すればよいのかわからない。また、この場合、ユーザ装置ＵＥは、Ｋｃを計算するためのレイヤ数として、どのエントリのレイヤ数を想定すればよいのかわからない。よって、適切にＲＩビット幅及びＫｃを算出できない可能性がある。
【００１９】
ここで、１９Ａと１ＡのバンドコンビネーションのようなＩｎｔｅｒ−ｂａｎｄ  ＣＡに対してもｍａｘＬａｙｅｒｓＭＩＭＯを通知すれば上記の問題は解消されるが、Ｉｎｔｅｒ−ｂａｎｄ  ＣＡの全てのケースでｍａｘＬａｙｅｒｓＭＩＭＯを通知するとなるとシグナリング量が増加してしまい、好ましくない。
【００２０】
なお、上記の課題は、ＲＩビット幅に限らず、その他の上り制御情報（ＵＣＩ）送信のためのビット幅に対しても生じ得る課題である。また、上記の課題は、ＲＩビット幅等のビット幅、及びＫｃに限らず、他のパラメータに対しても生じ得る課題である。
【００２１】
本発明は上記の点に鑑みてなされたものであり、ユーザ装置が、あるバンドコンビネーションに対して複数のＭＩＭＯ能力をサポートする場合において、シグナリング量の増加を抑制して、パラメータ算出のためのＭＩＭＯ能力を決定することを可能とする技術を提供することを目的とする。
【課題を解決するための手段】
【００２２】
本発明の実施の形態によれば、キャリアアグリゲーションをサポートする移動通信システムにおいて基地局と通信を行うユーザ装置であって、
コンポーネントキャリア毎のアンテナポート数を前記基地局から受信する受信部と、
前記ユーザ装置がサポートするバンドコンビネーションにおいて、当該ユーザ装置が、異なる複数のＭＩＭＯ能力をサポートしている場合において、前記受信部により受信したコンポーネントキャリア毎のアンテナポート数に基づいて、前記バンドコンビネーションにおける合計の最大レイヤ数を最大化するＭＩＭＯ能力を決定する決定部と
を備えることを特徴とするユーザ装置が提供される。
【発明の効果】
【００２３】
本発明の実施の形態によれば、ユーザ装置が、あるバンドコンビネーションに対して複数のＭＩＭＯ能力をサポートする場合において、シグナリング量の増加を抑制して、パラメータ算出のためのＭＩＭＯ能力を決定することを可能とする技術を提供することができる。
【図面の簡単な説明】
【００２４】
【図１】キャリアアグリゲーションの周波数配置例を示す図であり、（ａ）はＩｎｔｒａ−ｂａｎｄ  ｃｏｎｔｉｇｕｏｕｓ  ＣＡを示し、（ｂ）はＩｎｔｅｒ−ｂａｎｄ  ｎｏｎ−ｃｏｎｔｉｇｕｏｕｓ  ＣＡを示し、（ｃ）はＩｎｔｒａ−ｂａｎｄ  ｎｏｎ−ｃｏｎｔｉｇｕｏｕｓ  ＣＡを示す。
【図２】ＣＡバンドコンビネーション情報を通知するメッセージの構造例を示す図である。
【図３】ＣＡ−ＢａｎｄｗｉｄｔｈＣｌａｓｓを示す表である。
【図４】ＭＩＭＯレイヤ数の能力通知を説明するための図であり、（ａ）はＩｎｔｅｒ−ｂａｎｄ  ＣＡのケースを示し、（ｂ）はＩｎｔｒａ−ｂａｎｄ  ｎｏｎ−ｃｏｎｔｉｇｕｏｕｓ  ＣＡのケースを示す。
【図５】本発明の実施の形態に係る移動通信システムの構成図である。
【図６】動作例１を示すシーケンス図である。
【図７】具体例を説明するための図である。
【図８】ＲＩビット幅の例を示す図である。
【図９】具体例を説明するための図である。
【図１０】仕様変更例を示す図である。
【図１１】仕様変更例を示す図である。
【図１２】具体例を説明するための図である。
【図１３】動作例２を示すシーケンス図である。
【図１４】具体例を説明するための図である。
【図１５】具体例を説明するための図である。
【図１６】ユーザ装置ＵＥの構成図である。
【図１７】基地局ｅＮＢの構成図である。
【図１８】ユーザ装置ＵＥ、及び基地局ｅＮＢのハードウェア構成図である。
【発明を実施するための形態】
【００２５】
以下、図面を参照して本発明の実施の形態を説明する。なお、以下で説明する実施の形態は一例に過ぎず、本発明が適用される実施の形態は、以下の実施の形態に限られるわけではない。
【００２６】
本実施の形態の移動通信システムは、ＬＴＥに対応していることを想定している。ただし、本明細書で使用する「ＬＴＥ」は、ＬＴＥ−Ａｄｖａｎｃｅｄ、及び、ＬＴＥ−Ａｄｖａｎｃｅｄ以降の方式（例：５Ｇ）を含む広い意味を有するものとする。また、本発明の実施の形態はＬＴＥに限らず、他の方式にも適用可能である。例えば、本発明の実施の形態は、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、もしくは、これらに基づいて拡張された次世代システムに適用されてもよい。
【００２７】
また、本実施の形態におけるＣＡ（キャリアアグリゲーション）は、Ｉｎｔｒａ−ｅＮＢ  ＣＡのみならず、ＤＣ（Ｄｕａｌ  ｃｏｎｎｅｃｔｉｖｉｔｙ）のようなＩｎｔｅｒ−ｅＮＢ  ＣＡも含む。また、本実施の形態では、ＣＣとセルは基本的に同義と考えてよく、ＣＣをセル（より具体的にはサービングセル）と称してもよい。
【００２８】
（システム全体構成）
図５に本実施の形態に係る移動通信システムの構成図を示す。本実施の形態に係る移動通信システムは、ＬＴＥ方式の通信システムであり、図５に示すように、ユーザ装置ＵＥ、及び基地局ｅＮＢを含む。ユーザ装置ＵＥ、及び基地局ｅＮＢは、ＣＡを行うことが可能である。基地局ｅＮＢは単独で複数セルを形成することもできるし、例えば遠隔にＲＲＥ（遠隔無線装置）を接続することで、基地局ｅＮＢ本体とＲＲＥとで複数セルを形成することもできる。図５には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２９】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【００３０】
また、Ｄｕａｌ  ｃｏｎｎｅｃｔｉｖｉｔｙを行う際には、ユーザ装置ＵＥは、２つの物理的に異なる基地局ｅＮＢの無線リソースを同時に使用して通信を行う。Ｄｕａｌ  ｃｏｎｎｅｃｔｉｖｉｔｙはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。
【００３１】
また、ユーザ装置ＵＥは、ＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）を実行する機能を含み、ＣＳＩプロセス数の能力情報を通知することが可能である。
【００３２】
ユーザ装置ＵＥの基本的な動作の一つとして、上り制御情報（以下、ＵＣＩ）の送信がある。ＵＣＩには、ＡＣＫ／ＮＡＣＫ（ハイブリッドＡＲＱ送達確認）、スケジューリングリクエスト、及びチャネル状態情報（以下、ＣＳＩ）等がある。ＣＳＩには、ＣＱＩ、ＰＭＩ、ＲＩ等がある。本実施の形態では特に、ＣＳＩの中のＲＩの送信に着目している。ただし、本実施の形態の技術は、ＲＩ以外のＵＣＩについても適用可能である。
【００３３】
ＣＳＩ報告には、周期的報告（ｐｅｒｉｏｄｉｃ  ｒｅｐｏｒｔｉｎｇ）と非周期的報告（ａｐｅｒｉｏｄｉｃ  ｒｅｐｏｒｔｉｎｇ）がある。周期的報告には通常、ＰＵＣＣＨが使用されるが、周期的報告タイミングでＰＵＳＣＨによるデータ送信がある場合、ＰＵＳＣＨが用いられる場合もある。また、非周期的報告は、基地局ｅＮＢからのスケジューリンググラントにおける要求に基づいて、ＰＵＳＣＨにより行われる。
【００３４】
また、ＣＳＩ報告の対象は下りＣＣ（セル）毎である。例えば、下りＣＣ１と下りＣＣ２からなる下りＣＡにおいて、ユーザ装置ＵＥは、下りＣＣ１で受信するＣＳＩ−ＲＳの測定によりＲＩ１を得て、下りＣＣ１に対するＲＩとしてＲＩ１を基地局ｅＮＢに報告し、下りＣＣ２で受信するＣＳＩ−ＲＳの測定によりＲＩ２を得て、下りＣＣ２に対するＲＩとしてＲＩ２を基地局ｅＮＢに報告する。
【００３５】
（動作例１）
図６を参照して、本実施の形態における動作シーケンス例を説明する。
【００３６】
ユーザ装置ＵＥは、ステップＳ１０１において、基地局ｅＮＢに対してＵＥ能力情報を送信する。ＵＥ能力情報には、ＣＡバンドコンビネーション情報が含まれる。
【００３７】
ＣＡバンドコンビネーション情報には、バンド毎の、ユーザ装置ＵＥがサポートする最大のＤＬ  ＭＩＭＯレイヤ数（以下、ＤＬ  ＭＩＭＯレイヤ数をＭＩＭＯレイヤ数と記述する）が含まれる。また、例えば、バンドのクラスがＢ、Ｃのように、バンド当たりに複数ＣＣが含まれる場合には、バンド内のＣＣ毎に、ユーザ装置ＵＥがサポートする最大のＭＩＭＯレイヤ数が含まれる。なお、バンドのクラスがＡである場合には、バンドに対して通知したＭＩＭＯレイヤ数が、当該バンドの１つのＣＣにおけるＭＩＭＯレイヤ数になる。つまり、バンドのクラスがＡである場合には、バンドに対して通知するＭＩＭＯレイヤ数は、バンドのＣＣのＭＩＭＯレイヤ数に相当する。
【００３８】
以下で説明する例では、ユーザ装置ＵＥが実行するＣＡは、Ｉｎｔｅｒ−ｂａｎｄ  ＣＡを想定しており、基本的にはｍａｘＬａｙｅｒｓＭＩＭＯは通知されていない。なお、動作例２で説明するような特定の場合、若しくはＴｒａｎｓｍｉｓｓｉｏｎ  Ｍｏｄｅ  ３若しくは４で４レイヤＭＩＭＯを行う場合にはｍａｘＬａｙｅｒｓＭＩＭＯが通知される。
【００３９】
本実施の形態では、ユーザ装置ＵＥは、１つのバンドコンビネーションに対して、異なる複数のＭＩＭＯレイヤ数の組（これをＭＩＭＯ能力と呼ぶ）をサポートしており、そのことを示す能力情報を基地局ｅＮＢに通知している。具体的には、例えば、図７に示すように、ユーザ装置ＵＥは、バンドコンビネーションエントリ１として、「（バンド４１Ａ、４レイヤ）、（バンド４２Ａ、２レイヤ）」をサポートし、バンドコンビネーションエントリ２として、「（バンド４１Ａ、２レイヤ）、（バンド４２Ａ、４レイヤ）」をサポートする。
【００４０】
図６のステップＳ１０２において、基地局ｅＮＢは、例えば、ＲＲＣ信号で送信する設定情報（例：ｒａｄｉｏＲｅｓｏｕｒｃｅＣｏｎｆｉｇＤｅｄｉｃａｔｅｄ）に含めて、設定されるバンドコンビネーションにおけるＣＣ毎のアンテナポート数（本実施の形態ではＣＳＩ−ＲＳポート数）をユーザ装置ＵＥに送信する。なお、ステップＳ１０２において、当該バンドコンビネーションのＣＡの設定がされてもよい。
【００４１】
ステップＳ１０３において、ユーザ装置ＵＥは、ステップＳ１０１で通知したバンドコンビネーションにおける各エントリ（ＭＩＭＯ能力）の各ＣＣのＭＩＭＯレイヤ数と、設定されたアンテナポート数とに基づいて、ＣＣ毎の最大レイヤ数を決定し、ＲＩビット幅を決定する。
【００４２】
ステップＳ１０４において、ユーザ装置ＵＥは、ステップＳ１０３で決定したＲＩビット幅の算出に使用したＣＣ毎の最大レイヤ数に基づいて、ソフトバッファサイズの算出に使用するＫｃを決定し、決定したＫｃを用いてソフトバッファサイズを決定する。
【００４３】
＜ＲＩビット幅、Ｋｃの決定の詳細＞
以下、上記のステップＳ１０３におけるＲＩビット幅の決定、及びステップＳ１０４におけるＫｃの決定方法について詳細に説明する。
【００４４】
基本的な動作として、ｍａｘＬａｙｅｒｓＭＩＭＯが通知されない場合、ユーザ装置ＵＥがサポートする最大のＭＩＭＯレイヤ数と、設定されたアンテナポート数（ＣＳＩ−ＲＳポート数）のうちの最小値を「最大レイヤ数」とし、当該最大レイヤ数に基づき、ＲＩのビット幅を決定する。より具体的には、例えば、図８に例示する非特許文献２のテーブル５．２．２．６．１−２に従って、例えば、最大レイヤ数が４、アンテナポート数が４であるとすると、ＲＩビット幅は２と決まる。
【００４５】
しかし、動作例１で想定している図７の例の場合、ユーザ装置ＵＥがサポートするバンド（４１と４２のそれぞれ）において、複数のエントリ（ＭＩＭＯ能力）があり、一意に定まらない。
【００４６】
そこで、本実施の形態では、上記のように、ユーザ装置ＵＥが、サポートするバンドコンビネーション（例：バンド４１とバンド４２）において、異なる複数のＭＩＭＯ能力をサポートする場合に、ユーザ装置ＵＥは、当該バンドコンビネーションの各バンドの各ＣＣに対して基地局ｅＮＢから通知されるアンテナポート数を考慮して、ＲＩビット幅を算出するための最大レイヤ数がトータルで、当該バンドコンビネーションにおいて最大となるＭＩＭＯレイヤ能力を選択する。
【００４７】
具体例を図９を参照して説明する。図９は、図７に示した例に基づく。図９の例では、バンド４１のＣＣに対して４ポートが設定され、バンド４２のＣＣに対して２ポートが設定される場合の例を示している。各バンドコンビネーションエントリに対し、「ＭＩＭＯレイヤ数とアンテナポート数のうちの最小値を"最大レイヤ数"とする」を当てはめると、図９のバンドコンビネーションエントリ１においては、バンド４１のＣＣに対して最大レイヤ数は４になり、バンド４２のＣＣに対して最大レイヤ数は２になる。よって、合計の最大レイヤ数は６になる。
【００４８】
一方、図９のバンドコンビネーションエントリ２においては、バンド４１のＣＣに対して最大レイヤ数は２になり、バンド４２のＣＣに対して最大レイヤ数は２になる。よって、合計の最大レイヤ数は４になる。
【００４９】
従って、ユーザ装置ＵＥは、最大レイヤ数の合計が最大となるバンドコンビネーションエントリ１を選択し、そのＭＩＭＯレイヤ数の組み合わせを用いてＲＩビット幅を決定する。図８の表を使用する場合、バンド４１のＣＣのＲＩビット幅は２と決定され、バンド４２のＣＣのＲＩビット幅は１と決定される。
【００５０】
次に、ソフトバッファサイズの算出のための用いるＫｃの決定について説明する。本実施の形態では、ユーザ装置ＵＥが、サポートするバンドコンビネーション（例：バンド４１とバンド４２）において、複数の異なるＭＩＭＯ能力に対応している場合において、ユーザ装置ＵＥは、ＲＩビット幅算出のために選択されたエントリ（ＭＩＭＯ能力）における各ＣＣの最大レイヤ数に基づきＫｃを決定する。つまり、非特許文献２の５．１．４．１．２に記載されているように、特定の状況において、あるＣＣに関して、当該ＣＣの最大レイヤ数が２を超えるか否かで、Ｋｃが決定される。そして、決定されたＫｃに基づいて、ソフトバッファサイズを算出する。
【００５１】
図１０に、上記のＭＩＭＯ能力の選択に関する部分の仕様変更例（抜粋）を示す。図１０は、非特許文献２からの変更を示し、変更（追加）部分に下線が引かれている。図１０に示すとおり、「If different downlink MIMO capabilities are supported for the same band combination, the UE shall select the downlink MIMO capability which maximizes the maximum number of layers in total based on the configured number of CSI-RS ports.」が追加されている。
【００５２】
図１１に、上記のＫｃの決定に関する部分の仕様変更例（抜粋）を示す。図１１は、非特許文献２からの変更を示し、変更（追加）部分に下線が引かれている。図１１に示すとおり、「if the UE is capable of supporting no more than a maximum of two spatial layers for the DL cell in the transmission mode configured for the UE, or if the configured maximum number of layers indicated by the maxLayersMIMO-r10 field is no more than two, or if the maximum number of layers determined for RI bitwidths is no more than two」に示す下線部が追加される。例えば、ユーザ装置ＵＥは、「a maximum of two spatial layers for the DL cell」が一意に定まらず、かつ、ｍａｘＬａｙｅｒｓＭＩＭＯが通知されない場合（例：図７の場合）に、ＲＩビット幅算出のために決定された各ＣＣの最大レイヤ数に基づきＫｃを決定する。
【００５３】
（動作例２）
次に、動作例２を、動作例１と異なる部分を中心に説明する。動作例２でも、基本的に、ユーザ装置ＵＥは、サポートするバンドコンビネーション（例：バンド４１とバンド４２）において、複数の異なるＭＩＭＯ能力に対応している場合、当該バンドコンビネーションの各バンドの各ＣＣに対して基地局ｅＮＢから通知されるアンテナポート数（ＣＳＩ−ＲＳ  ｐｏｒｔ数）を考慮して、ＲＩビット幅を算出するための最大レイヤ数の合計が、当該バンドコンビネーションにおいて最大となるＭＩＭＯ能力を選択する。ただし、バンドコンビネーションにおいて合計の最大レイヤ数が最大となるＭＩＭＯ能力が一意に決まらない場合がある。動作例２はその場合の動作を説明するものである。
【００５４】
合計の最大レイヤ数が最大となるＭＩＭＯ能力が一意に決まらない場合とは、例えば、図１２に示す場合である。図１２の例は、ユーザ装置ＵＥが、図７と同じバンドコンビネーションを基地局ｅＮＢに通知した場合において、バンド４１のＣＣに対して４ポートが設定され、バンド４２のＣＣに対しても４ポートが設定される場合の例を示している。
【００５５】
この場合、バンドコンビネーションエントリ１において、バンド４１のＣＣの最大レイヤ数は４であり、バンド４２のＣＣの最大レイヤ数は２であり、合計は６である。また、バンドコンビネーションエントリ２において、バンド４１のＣＣの最大レイヤ数は２であり、バンド４２のＣＣの最大レイヤ数は４であり、合計は６である。よって、バンドコンビネーションエントリ（ＭＩＭＯ能力）間で合計が同じとなり、ユーザ装置ＵＥは、どちらのエントリを選択すればよいか判断できない。
【００５６】
そこで、このような場合には、例えば、基地局ｅＮＢが、各バンドのＣＣ（セル）毎に、ユーザ装置ＵＥに対してｍａｘＬａｙｅｒｓＭＩＭＯを通知し、ユーザ装置ＵＥは、ｍａｘＬａｙｅｒｓＭＩＭＯで通知された値を最大レイヤ数として使用することで、ＲＩビット幅、及びＫｃを決定する。
【００５７】
動作例２におけるシーケンスを図１３を参照して説明する。まず、動作例１と同様にして、ステップＳ１０１にてＣＡコンビネーション情報がユーザ装置ＵＥから基地局ｅＮＢに通知される。また、ステップＳ１０２において、ＣＣ毎のアンテナポート数が基地局ｅＮＢからユーザ装置ＵＥに通知される。
【００５８】
ただし、動作例２においては、基地局ｅＮＢは、ユーザ装置ＵＥがサポートするバンドコンビネーション（例：図７）と、ユーザ装置ＵＥに設定するＣＣ毎のアンテナポート数とから、上記と同様に、バンドコンビネーションエントリ毎にＲＩビット幅を算出するための最大レイヤ数の合計を求める。そして、複数のバンドコンビネーションエントリの中で合計が最大のもの１つだけ選択できる場合（例：図９）には、動作例１のように、ｍａｘＬａｙｅｒｓＭＩＭＯを通知しない。
【００５９】
一方、複数のバンドコンビネーションエントリの中で合計が最大のものを決定できない場合（例：図１２）には、ＣＣ毎のアンテナポート数とともに、ＣＣ毎のｍａｘＬａｙｅｒｓＭＩＭＯをユーザ装置ＵＥに通知する（ステップＳ１０２）。例えば、図１２のケースで、バンド４１のＣＣのｍａｘＬａｙｅｒｓＭＩＭＯとして４を通知し、バンド４２のＣＣのｍａｘＬａｙｅｒｓＭＩＭＯとして２を通知する。
【００６０】
ステップＳ１０３では、ｍａｘＬａｙｅｒｓＭＩＭＯに基づきＲＩビット幅を決定する。つまり、各ＣＣについて、ｍａｘＬａｙｅｒｓＭＩＭＯを最大レイヤ数として使用して、例えば図８のテーブルからＲＩビット幅を決定する。
【００６１】
ステップＳ１０４では、ｍａｘＬａｙｅｒｓＭＩＭＯ、又は、ＲＩビット幅算出のために決定された各ＣＣの最大レイヤ数に基づきＫｃを決定する。また、図１１に示した仕様変更例は、動作例２の動作にも適用できる。
【００６２】
（動作例３）
上述した動作例２では、バンドコンビネーションにおいて合計の最大レイヤ数が最大となるＭＩＭＯ能力が一意に決まらない場合において、基地局ｅＮＢが、各バンドのＣＣ（セル）毎に、ユーザ装置ＵＥに対してｍａｘＬａｙｅｒｓＭＩＭＯを通知し、ユーザ装置ＵＥは、ｍａｘＬａｙｅｒｓＭＩＭＯで通知された値を最大レイヤ数として使用することで、ＲＩビット幅、及びＫｃを決定することとしていた。バンドコンビネーションにおいて合計の最大レイヤ数が最大となるＭＩＭＯ能力が一意に決まらない場合における解決策として、動作例２のようにｍａｘＬａｙｅｒｓＭＩＭＯを通知する方法の他、ｍａｘＬａｙｅｒｓＭＩＭＯを通知しない方法をとることも可能である。それを動作例３として説明する。
【００６３】
動作例３における全体シーケンスは、図６に示した動作例１のシーケンスと同じである。動作例３では、図６に示したシーケンスにおけるステップＳ１０３のＲＩビット幅の決定処理が動作例１と異なる。ただし、バンドコンビネーションにおいて合計の最大レイヤ数が最大となるＭＩＭＯ能力が一意に決まる場合（例：図９に示したケース）、動作例３は動作例１と同じである。
【００６４】
以下、バンドコンビネーションにおいて合計の最大レイヤ数が最大となるＭＩＭＯ能力が一意に決まらない場合における動作例３でのＲＩビット幅の決定方法を説明する。
【００６５】
このような場合、動作例３において、ユーザ装置ＵＥは、該当するバンドコンビネーションの全ＭＩＭＯ能力（全バンドコンビネーションエントリ）におけるＣＣ毎の最大レイヤ数のうちの最大値を、全ＣＣ（各ＣＣ）における最大レイヤ数と想定し、当該最大レイヤ数を用いて各ＣＣのＲＩビット幅を算出する。なお、上記の「ＣＣ毎」は、１バンド１ＣＣのケース（例：図７）においては、「バンド毎」と言い換えてもよい。また、「最大レイヤ数」はこれまでに説明したとおり、ＭＩＭＯレイヤ数とアンテナポート数のうちの最小値である。具体例を以下に説明する。
【００６６】
例えば、図１２に示した例のように、バンド４１のＣＣに対して４ポートが設定され、バンド４２のＣＣに対しても４ポートが設定される場合に、バンドコンビネーションエントリ１において、バンド４１のＣＣの最大レイヤ数は４であり、バンド４２のＣＣの最大レイヤ数は２であり、合計は６である。また、バンドコンビネーションエントリ２において、バンド４１のＣＣの最大レイヤ数は２であり、バンド４２のＣＣの最大レイヤ数は４であり、合計は６である。すなわち、バンドコンビネーションエントリ（ＭＩＭＯ能力）間で合計が同じとなる。よって、この場合、計算した全てのＣＣの最大レイヤ数（４、２、２、４）のうちの最大値である４を、各ＣＣの最大レイヤ数として用いることで、ＲＩビット幅を算出する。この例では、ポート数が４であるから、図８のテーブルを用いる場合、各ＣＣのＲＩビット幅が２と計算される。
【００６７】
また、図１４に示す例のように、バンド４１のＣＣに対して８ポートが設定され、バンド４２のＣＣに対しても８ポートが設定される場合に、バンドコンビネーションエントリ１において、バンド４１のＣＣの最大レイヤ数は４であり、バンド４２のＣＣの最大レイヤ数は２であり、合計は６である。また、バンドコンビネーションエントリ２において、バンド４１のＣＣの最大レイヤ数は２であり、バンド４２のＣＣの最大レイヤ数は４であり、合計は６である。すなわち、バンドコンビネーションエントリ（ＭＩＭＯ能力）間で合計が同じとなる。よって、この場合も、計算した全てのＣＣの最大レイヤ数（４、２、２、４）のうちの最大値である４を、各ＣＣの最大レイヤ数として用いることで、ＲＩビット幅を算出する。
【００６８】
次に、図１５に示す例のように、ユーザ装置ＵＥのＭＩＭＯ能力が、（バンド４１，バンド４２）＝｛８レイヤ，４レイヤ｝、｛４レイヤ，８レイヤ｝の場合において、バンド４１のＣＣに対して４ポートが設定され、バンド４２のＣＣに対しても４ポートが設定される場合を考える。この場合、バンドコンビネーションエントリ１において、バンド４１のＣＣの最大レイヤ数は４であり、バンド４２のＣＣの最大レイヤ数は４であり、合計は８である。また、バンドコンビネーションエントリ２において、バンド４１のＣＣの最大レイヤ数は４であり、バンド４２のＣＣの最大レイヤ数は４であり、合計は８である。すなわち、バンドコンビネーションエントリ（ＭＩＭＯ能力）間で合計が同じとなる。よって、この場合も、計算した全てのＣＣの最大レイヤ数（４、４、４、４）のうちの最大値である４を、各ＣＣの最大レイヤ数として用いることで、ＲＩビット幅を算出する。
【００６９】
Ｋｃに関しては、ユーザ装置ＵＥは、動作例１と同様に、ＲＩビット幅算出のために使用した最大レイヤ数に基づき各ＣＣのＫｃを決定する。
【００７０】
以上説明したように、本実施の形態では、ｍａｘＬａｙｅｒｓＭＩＭＯの通知を最小限に抑えることができる。特に、動作例１、３では、ｍａｘＬａｙｅｒｓＭＩＭＯの通知を行わなくてよい。よって、ユーザ装置ＵＥが、あるバンドコンビネーションに対して複数のＭＩＭＯ能力をサポートする場合において、シグナリング量の増加を抑制して、パラメータ算出のためのＭＩＭＯ能力を決定することを可能となる。
【００７１】
なお、本実施の形態における「ＭＩＭＯレイヤ数」を「ＣＳＩプロセス数」に置き換えることで、本実施の形態で説明するＭＩＭＯ能力の決定方法を、ＣＳＩプロセス能力を決定する場合にも適用できる。
【００７２】
（装置構成）
次に、これまでの説明した処理（動作例１、動作例２、動作例３を含む）を実行可能なユーザ装置ＵＥと基地局ｅＮＢにおける主要な構成を説明する。
【００７３】
まず、図１６に、本実施の形態に係るユーザ装置ＵＥの構成図を示す。図１６に示すように、ユーザ装置ＵＥは、ＵＬ信号送信部１０１、ＤＬ信号受信部１０２、ＲＲＣ管理部１０３、パラメータ決定部１０４を含む。図１６は、ユーザ装置ＵＥにおいて本発明の実施の形態に特に関連する機能部のみを示すものである。また、図１６に示す機能構成は一例に過ぎない。本実施の形態に係る動作を実行できるのであれば、機能区分や機能部の名称はどのようなものでもよい。また、ユーザ装置ＵＥは、動作例１、２、３の全ての動作を行う機能を有してもよいし、動作例１、２、３のうちのいずれか１つの動作を行う機能を有してもよいし、動作例１、２、３のうちのいずれか２つの動作を行う機能を有してもよい。
【００７４】
ＵＬ信号送信部１０１は、ユーザ装置ＵＥから送信されるべき上位のレイヤの信号から、物理レイヤの各種信号を生成し、無線送信する機能を含む。ＤＬ信号受信部１０２は、基地危局ｅＮＢから各種の信号を無線受信し、受信した物理レイヤの信号からより上位のレイヤの信号を取得する機能を含む。ＵＬ信号送信部１０１及びＤＬ信号受信部１０２はそれぞれ、複数のＣＣを束ねて通信を行うＣＡを実行する機能を含む。また、ＤＬ信号受信部１０２は、参照信号の測定を行って、ＲＩ等のＣＳＩを決定する機能を含み、ＵＬ信号送信部１０１は、ＲＩ等のＣＳＩを送信する機能を含む。また、ＤＬ信号受信部１０２及びＵＬ信号送信部１０１は、パラメータ決定部１０４により決定されたサイズのソフトバッファを使用してデータ受信に係るＨＡＲＱ制御を実行する機能を含む。
【００７５】
ＵＬ信号送信部１０１及びＤＬ信号受信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００７６】
ＲＲＣ管理部１０３は、ＵＬ信号送信部１０１／ＤＬ信号受信部１０２を介して、基地局ｅＮＢとの間でＲＲＣメッセージの送受信を行うとともに、ＣＡ情報の設定／変更／管理、構成変更等の処理を行う機能を含む。また、ＲＲＣ管理部１０３は、ユーザ装置ＵＥの能力の情報を保持するとともに、能力情報を通知するＲＲＣメッセージを作成し、ＵＬ信号送信部１０１を介して基地局ｅＮＢに送信する。
【００７７】
パラメータ決定部１０４は、本実施の形態で説明した方法を用いて、ＭＩＭＯ能力の決定、最大レイヤ数の決定、最大ＣＳＩプロセス数の決定、ＲＩビット幅の算出、Ｋｃの決定、ソフトバッファサイズの算出等を行う。
【００７８】
図１７に、本実施の形態に係る基地局ｅＮＢの機能構成図を示す。図１７に示すように、基地局ｅＮＢは、ＤＬ信号送信部２０１、ＵＬ信号受信部２０２、ＲＲＣ管理部２０３、スケジューリング部２０４を含む。図１７は、基地局ｅＮＢにおける主要な機能部のみを示すものである。また、図１７に示す機能構成は一例に過ぎない。本実施の形態に係る動作を実行できるのであれば、機能区分や機能部の名称はどのようなものでもよい。当該基地局ｅＮＢは、単独の基地局ｅＮＢでもよいし、設定（Ｃｏｎｆｉｇｕｒａｔｉｏｎ）により、ＤＣを実行する際にはＭｅＮＢとＳｅＮＢのいずれにもなり得る。また、基地局ｅＮＢは、動作例１、２、３の全ての動作を行う機能を有してもよいし、動作例１、２、３のうちのいずれか１つの動作を行う機能を有してもよいし、動作例１、２、３のうちのいずれか２つの動作を行う機能を有してもよい。
【００７９】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、各ＵＥから各種の信号を無線受信し、受信した物理レイヤの信号からより上位のレイヤの信号を取得する機能を含む。ＤＬ信号送信部２０１及びＵＬ信号受信部２０２はそれぞれ、複数のＣＣを束ねて通信を行うＣＡを実行する機能を含む。また、ＤＬ信号送信部２０１及びＵＬ信号受信部２０２は、ＲＲＥのように、基地局ｅＮＢの本体（制御部）から遠隔に設置された無線通信部を含んでもよい。
【００８０】
ＤＬ信号送信部２０１及びＵＬ信号受信部２０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【００８１】
ＲＲＣ管理部２０３は、ＤＬ信号送信部２０１／ＵＬ信号受信部２０２を介してユーザ装置ＵＥとの間でＲＲＣメッセージの送受信を行うとともに、ＣＡの設定／変更／管理、構成変更等の処理を行う機能を含む。また、ＲＲＣ管理部２０３は、ＵＬ信号受信部２０２を介して、ユーザ装置ＵＥから能力情報を受信し、当該能力情報を保持し、当該能力情報に基づいてユーザ装置ＵＥに対してＣＡの設定等を実施することができる。また、ＲＲＣ管理部２０３は、本実施の形態において基地局ｅＮＢの動作として説明したように、ユーザ装置ＵＥに設定するアンテナポート数の決定、ｍａｘＬａｙｅｒｓＭＩＭＯのユーザ装置ＵＥへの通知の要否判断、ｍａｘＬａｙｅｒｓＭＩＭＯの決定、アンテナポート数／ｍａｘＬａｙｅｒｓＭＩＭＯの通知を行う機能等を含む。
【００８２】
スケジューリング部２０４は、ＣＡを実施するユーザ装置ＵＥに対し、セル毎にスケジューリングを行って、ＰＤＣＣＨの割り当て情報を作成し、当該割り当て情報を含むＰＤＣＣＨの送信をＤＬ信号送信部２０１に指示する機能を含む。
【００８３】
＜ハードウェア構成＞
上記のブロック図（図１６、１７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に他の機能ブロックと結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００８４】
例えば、本発明の一実施の形態におけるユーザ装置ＵＥ、及び基地局ｅＮＢのそれぞれは、本実施の形態における処理を行うコンピュータにより実現してもよい。図１８は、本発明の一実施の形態に係るユーザ装置ＵＥ、及び基地局ｅＮＢのそれぞれのハードウェア構成の一例を示す図である。基地局ｅＮＢ、ユーザ装置ＵＥは、ハードウェアとしては同様の構成を備えるため、１つの図（図１８）にこれらのハードウェア構成を示している。
【００８５】
図１８に示すとおり、上述のユーザ装置ＵＥ、及び基地局ｅＮＢは、物理的には、プロセッサ１００１、メモリ１００２、ストレージ１００３、通信装置１００４、入力装置１００５、出力装置１００６、バス１００７などを含むコンピュータ装置として構成されてもよい。
【００８６】
なお、以下の説明では、「装置」という文言は、回路、デバイス、ユニットなどに読み替えることができる。ユーザ装置ＵＥ、及び基地局ｅＮＢのハードウェア構成は、図に示した各装置（各部）を１つ又は複数含むように構成されてもよいし、一部の装置を含まずに構成されてもよい。
【００８７】
ユーザ装置ＵＥ、及び基地局ｅＮＢにおける各機能は、プロセッサ１００１、メモリ１００２などのハードウェア上に所定のソフトウェア（プログラム）を読み込ませることで、プロセッサ１００１が演算を行い、通信装置１００４による通信を制御し、メモリ１００２及びストレージ１００３におけるデータの読み出し及び／又は書き込みを制御することで実現される。
【００８８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００８９】
また、プロセッサ１００１は、プログラム（プログラムコード）、ソフトウェアモジュール、及びデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥのＵＬ信号送信部１０１、ＤＬ信号受信部１０２、ＲＲＣ管理部１０３、パラメータ決定部１０４は、メモリ１００２に格納され、プロセッサ１００１で動作する制御プログラムによって実現されてもよい。また、例えば、基地局ｅＮＢのＤＬ信号送信部２０１、ＵＬ信号受信部２０２、ＲＲＣ管理部２０３、スケジューリング部２０４は、メモリ１００２に格納され、プロセッサ１００１で動作する制御プログラムによって実現されてもよい。
【００９０】
上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９１】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などのうちの少なくとも１つで構成されてもよい。メモリ１００２は、レジスタ、キャッシュ、メインメモリ（主記憶装置）などと呼ばれてもよい。メモリ１００２は、本実施の形態で説明した処理を実施するために実行可能なプログラム（プログラムコード）、ソフトウェアモジュール、データなどを保存することができる。
【００９２】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどのうちの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９３】
通信装置１００４は、有線及び／又は無線ネットワークを介して装置間の通信を行うためのハードウェア（送受信デバイス）であり、例えばネットワークデバイス、ネットワークコントローラ、ネットワークカード、通信モジュールなどともいう。例えば、ユーザ装置ＵＥのＤＬ信号受信部１０２、及び、ＵＬ信号送信部１０１は通信装置１００４で実現されてもよい。また、基地局ｅＮＢのＤＬ信号送信部２０１、及び、ＵＬ信号受信部２０２は、通信装置１００４で実現されてもよい。
【００９４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００９５】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００９６】
また、基地局ｅＮＢ、ユーザ装置ＵＥは、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００９７】
（実施の形態のまとめ）
以上、説明したように、本実施の形態により、キャリアアグリゲーションをサポートする移動通信システムにおいて基地局と通信を行うユーザ装置であって、コンポーネントキャリア毎のアンテナポート数を前記基地局から受信する受信部と、前記ユーザ装置がサポートするバンドコンビネーションにおいて、当該ユーザ装置が、異なる複数のＭＩＭＯ能力をサポートしている場合において、前記受信部により受信したコンポーネントキャリア毎のアンテナポート数に基づいて、前記バンドコンビネーションにおける合計の最大レイヤ数を最大化するＭＩＭＯ能力を決定する決定部とを備えることを特徴とするユーザ装置が提供される。
【００９８】
上記の構成により、ユーザ装置が、あるバンドコンビネーションに対して複数のＭＩＭＯ能力をサポートする場合において、シグナリング量の増加を抑制して、パラメータ算出のためのＭＩＭＯ能力を決定することが可能となる。
【００９９】
前記決定部は、前記決定したＭＩＭＯ能力に基づいて、コンポーネントキャリア毎の最大レイヤ数を決定し、当該最大レイヤ数に基づいて、上り制御情報の送信のためのビット幅、又は、ソフトバッファサイズの算出に使用するパラメータの値を決定することとしてもよい。この構成により、シグナリング量の増加を抑制して、上り制御情報の送信のためのビット幅、又は、ソフトバッファサイズの算出に使用するパラメータの値を明確に決定できる。
【０１００】
前記決定部は、前記合計の最大レイヤ数を最大化するＭＩＭＯ能力が１つに定まらない場合において、前記受信部により前記基地局から受信するコンポーネントキャリア毎の最大レイヤ数に基づいて、前記ビット幅、又は、前記パラメータの値を決定することとしてもよい。この構成により、前記合計の最大レイヤ数を最大化するＭＩＭＯ能力が１つに定まらない場合でも、上り制御情報の送信のためのビット幅、又は、ソフトバッファサイズの算出に使用するパラメータの値を明確に決定できる。
【０１０１】
前記決定部は、あるＭＩＭＯ能力において、最大レイヤ数とアンテナポート数のうちの小さいほうの値の総和を、当該ＭＩＭＯ能力における前記合計の最大レイヤ数として算出することとしてもよい。この構成により、ＭＩＭＯ能力における合計の最大レイヤ数を適切に算出できる。
【０１０２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。
【０１０３】
また、本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【０１０４】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１０５】
所定の情報の通知（例えば、「Ｘであること」の通知）は、明示的に行うものに限られず、暗黙的（例えば、当該所定の情報の通知を行わない）ことによって行われてもよい。
【０１０６】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０７】
なお、本明細書で説明した用語及び／又は本明細書の理解に必要な用語については、同一の又は類似する意味を有する用語と置き換えてもよい。例えば、メッセージは信号であってもよい。
【０１０８】
また、本明細書で説明した情報、パラメータなどは、絶対値で表されてもよいし、所定の値からの相対値で表されてもよいし、対応する別の情報で表されてもよい。また、参照信号は、ＲＳ（Ｒｅｆｅｒｅｎｃｅ  Ｓｉｇｎａｌ）と略称することもでき、適用される標準によってパイロット（Ｐｉｌｏｔ）と呼ばれてもよい。
【０１０９】
本発明は上記実施形態に限定されず、本発明の精神から逸脱することなく、様々な変形例、修正例、代替例、置換例等が本発明に包含される。
【符号の説明】
【０１１０】
ＵＥ  ユーザ装置
ｅＮＢ  基地局
１０１  ＵＬ信号送信部
１０２  ＤＬ信号受信部
１０３  ＲＲＣ管理部
１０４  パラメータ決定部
２０１  ＤＬ信号送信部
２０２  ＵＬ信号受信部
２０３  ＲＲＣ管理部
２０４  スケジューリング部
１００１  プロセッサ
１００２  メモリ
１００３  ストレージ
１００４  通信装置
１００５  入力装置
１００６  出力装置
【図１】
2017208792.tif 000003
【図２】
2017208792.tif 000004
【図３】
2017208792.tif 000005
【図４】
2017208792.tif 000006
【図５】
2017208792.tif 000007
【図６】
2017208792.tif 000008
【図７】
2017208792.tif 000009
【図８】
2017208792.tif 000010
【図９】
2017208792.tif 000011
【図１０】
2017208792.tif 000012
【図１１】
2017208792.tif 000013
【図１２】
2017208792.tif 000014
【図１３】
2017208792.tif 000015
【図１４】
2017208792.tif 000016
【図１５】
2017208792.tif 000017
【図１６】
2017208792.tif 000018
【図１７】
2017208792.tif 000019
【図１８】
2017208792.tif 000020